(57)【特許請求の範囲】
【請求項１】
被覆を除去すべき光ファイバを受ける受け部と、該受け部に対して相対的に接近して前記光ファイバの被覆層を切断するための切断刃とを含み、前記切断刃の端面が側面に対してほぼ垂直とされているプラスチック板から形成され、
前記受け部は前記切断刃の端面を光ファイバの被覆に直角に押し当てたとき、光ファイバの軸を切断刃の側面に対して垂直に支持する平坦な規制面を有し、当該規制面は前記受け部の前記光ファイバに近接する面から凹んでおり、
前記受け部の前記切断刃と対向する規制面の、前記光ファイバの長手方向の幅が、前記切断刃の厚みよりも広く設定され、前記切断刃の曲げ弾性率が９００〜２０，０００ＭＰａの範囲に設定されていることを特徴とする光ファイバの被覆除去装置。
【請求項２】
被覆を除去すべき光ファイバを受ける受け部と、該受け部に対して相対的に接近して前記光ファイバの被覆層を切断するための切断刃とを含み、前記切断刃の端面が側面に対してほぼ垂直とされているプラスチック板から形成され、
前記受け部は前記切断刃の端面を光ファイバの被覆に押し当てたとき、光ファイバの軸を切断刃の側面に対して垂直に支持する平坦な規制面を有し、当該規制面は前記受け部の前記光ファイバに近接する面から凹んでおり、
前記受け部の前記切断刃と対向する規制面の、前記光ファイバの長手方向の幅が、前記切断刃の厚みよりも広く設定され、前記切断刃の厚みが０．０６〜１ｍｍの範囲に設定されていることを特徴とする光ファイバの被覆除去装置。
【請求項３】
前記受け部と前記切断刃との間で、前記光ファイバを、前記規制面位置へ案内する案内手段を含み、この案内手段は、前記押圧部の前記受け部側に突出した案内板に設けたＶ字状の案内溝からなることを特徴とする請求項１または２に記載の光ファイバの被覆除去装置。
【請求項４】
相互に接近して光ファイバの被覆層を切断するための一対の切断刃を含み、前記一対の切断刃の端面が側面に対してほぼ垂直とされているプラスチック板から形成され、前記切断刃の厚みが０．０６〜１ｍｍの範囲に設定されており、
ブロック状の受け部と、この受け部の上面に回動しながら接近しあるいは離間するように配置されたブロック状の押圧部とを備え、
前記押圧部の下面には、その長さ方向に沿って切断刃が突出し、
前記受け部の上面には、前記突出した切断刃を導入させて案内する案内溝が形成され、
前記受け部の端部には、前記案内溝に対して直交している、光ファイバ案内用の貫通凹部が形成され、
前記案内溝内に固定され、前記貫通凹部内の光ファイバを前記案内溝に導入された切断刃とともに挟み込む位置に、別の切断刃が設けられていることを特徴とする光ファイバの被覆除去装置。
【発明の詳細な説明】
（技術分野）
本発明は、光ファイバの被覆層を除去するに際し、光ファイバ素線や非剥離層（プライマリコート）に傷を付けず、切断刃の取付け精度を必要としない被覆除去装置に関する。
（背景技術）
光ファイバとして、石英製のコア及びクラッドから成る光ファイバ素線上に、紫外線硬化（ＵＶ）樹脂や熱架橋樹脂等から成る非剥離層（プライマリコート）を設け、その上に更に一次及び二次被覆層を設けたものが知られている。
このような光ファイバにコネクタ付け等を行う場合には、一次及び二次被覆層は除去されるが、非剥離層は作業中に光ファイバ素線が傷つくのを防止するために残される。
ところで、従来の被覆除去装置では、金属製の切断刃が取付プレート等に固定されている。この切断刃を光ファイバに接近させて光ファイバの被覆層に喰い込ませる。さらに、切断刃が被覆層に食い込んだ状態で、光ファイバを長手方向に引き取ることにより被覆層を除去している。
しかしながら、上記のような従来の装置には次のような解決すべき課題がある。
上記従来の被覆除去装置では、金属製の剛性の大きな切断刃を有するため、被覆層への喰い込み寸法を高精度に選定しなければならない。食い込み寸法が大きすぎると切断刃が光ファイバ素線に接触して非剥離層を傷付ける。一方、食い込み寸法が短かすぎると被覆層が破断しにくく、光ファイバ素線の外周にその一部が残り外径が不均一になるため、Ｖ溝やフェルール等を用いた接続作業性を低下させてしまう。
従って、切断刃を固定するための取付プレート等に、正確に位置決めして取付けなければならないが、現場で切断刃を交換するような場合にも、十分な精度を要求するのは難しい。しかも、高い精度を保つために切断刃の研磨加工処理を行なうと非常に製造コストが高価になる。同時に、刃先に錆が発生し易く、切断不良等の原因となってしまうという問題もあった。
本発明は以上の点に着目してなされたもので、本発明の目的は、光ファイバ素線や非剥離層に傷を付けず、また切断刃の取付け精度を必要としない光ファイバ被覆除去装置を提供することにある。
（発明の開示）
本発明の光ファイバ被覆除去装置では、光ファイバに対する喰い込み寸法を規制する規制手段と弾性を有するプラスチック材から形成された切断刃を設けている。そのため、光ファイバ素線や非剥離層に傷を付けず、また切断刃の取付け精度を必要とせずに光ファイバの被覆を除去することができる。
この装置に関連する各発明はそれぞれ次のような手段により発明の目的を達成する。
（１）被覆を除去すべき光ファイバを受ける受け部と、該受け部に対して相対的に接近して前記光ファイバの被覆層を切断するための切断刃とを含み、前記受け部の前記切断刃と対向する面に該切断刃の前記光ファイバに対する喰い込み寸法を規制する規制手段が設けられ、前記切断刃が弾性を有するプラスチック材から形成されていることを特徴とする光ファイバの被覆除去装置。
（２）前記切断刃は、曲げ弾性率が９００〜２０，０００ＭＰａの範囲に設定されていることを特徴とする（１）記載の光ファイバの被覆除去装置。
（３）前記受け部と前記切断刃との間で前記光ファイバを所定の除去位置へ案内する溝を有する案内手段を含むことを特徴とする（１）記載の光ファイバの被覆除去装置。
（４）相互に接近して光ファイバの被覆層を切断するための一対の切断刃と、該一対の切断刃の前記光ファイバに対する喰い込み寸法を規制する規制手段とを含み、前記一対の切断刃が弾性を有するプラスチック材から形成されていることを特徴とする光ファイバの被覆除去装置。
（５）前記切断刃は、曲げ弾性率が９００〜２０，０００ＭＰａの範囲に設定されていることを特徴とする（４）記載の光ファイバの被覆除去装置。
（６）前記一対の切断刃の間で前記光ファイバを所定の除去位置へ案内する案内溝を有する案内手段を含むことを特徴とする（４）記載の光ファイバの被覆除去装置。
（発明を実施するための最良の形態）
以下、本発明を図の実施例を用いて詳細に説明する。
図１及び図２は本発明に係る被覆除去装置の斜視図である。図３は押圧部１の斜視図で、図４は受け部２の斜視図である。
この被覆除去装置は、Ｌ字型の押圧部１と、押圧部１と対向して配されている受け部２と、押圧部１と受け部２を連結固定しているＵ字状の板ばね３と、これら各部材が収納されているケーシング４とを備えている。受け部２と対向する押圧部１の先端部１Ｂには、図３に示すように、段部１Ａが設けられている。段部１Ａには固定ブロック５がボルト止めされている。そして、固定ブロック５と押圧部１の先端部１Ｂとの間には、切断刃６が挟持されている。
切断刃６は矩形のプラスチック板から成り、固定ブロック５（先端部１Ｂ）から１ｍｍ以下の突出寸法で挟持されている。この切断刃は、曲げ弾性率が９００〜２０，０００ＭＰａの範囲に設定されている。９００ＭＰａ以下の場合光ファイバの被覆層への喰い込みが困難となり、２０，０００ＭＰａ以上の場合非剥離層や光ファイバ素線に傷を付けてしまう虞れがある。なお、曲げ弾性率の測定は、「ＡＳＴＭ  Ｄ  ７９０」にのっとって行った。曲げ弾性率を設定したのは、光ファイバ素線やプライマリコートを傷つけないようなプラスチック板を特定するためである。即ち、切断刃６にプラスチック板を使用したのは、光ファイバ表面のプライマリコートを傷付けずに光ファイバの一次被覆層と２次被覆層に食い込んでこれらを切断できるような、最適な硬さを持つものを調整できるからである。
このような切断刃６の材料として、ＰＥＴ（ポリエチレンテレフタレート）、ＰＰ（ポリプロピレン）、アクリル、ＡＢＳ樹脂（アクリロニトリル−ブタジエン−スチレン共重合体）、ＰＣ（ポリカーボネート）、ＰＢＴ（ポリブチレンテレフタレート）、ＰＳ（ポリスチレン）、ＡＳ樹脂（アクリロニトリル−スチレン共重合体）等を用いることができる。
また、切断刃６は、刃の厚さ寸法が０．０６〜１ｍｍに設定されている。厚さが０．０６ｍｍ以下の場合には、強度が弱くなりすぎる。また、鋭利すぎて、光ファイバ表面のプライマリコートを傷付ける虞れがある。一方、厚みが１ｍｍ以上の場合には光ファイバの被覆層へ喰い込ませるために強い力が必要になり、過剰な力で押さえられると光ファイバ素線を破断する虞れがある。こうして、切断刃の６の厚みを適切に選定することによって、光ファイバ表面のプライマリコートを傷付けずに光ファイバの一次被覆層と２次被覆層に食い込んで剥離する機能が高まる。即ち、切断刃を鋭利な刃物のように尖らせるのでなく、切断刃の両側面にほぼ垂直な一定以上の幅の端面を切断刃の先端の刃としている。ゆえに、光ファイバ素線に切断刃の尖った刃先が押し付けられる心配が無い。このような形状にしたさらなる作用効果は、最後に図１３等を用いて説明をする。
なお、受け部２は、ステンレス等の金属、ガラス、カーボン入りＦＲＰ等の硬質材料から成り、図４に示すようにブロック状に形成されている。また、図５に示すように、切断刃６の対向面側の中央には、規制部７が形成されている。切断刃６の先端は、押圧部の先端１Ｂよりわずかに突出している。この部分が光ファイバ９の被覆に押しつけられて、その被覆を切断する。光ファイバは、このとき、受け部２の規制部７に押しつけられる。この規制部７は、図５に示すように、受け部２の対向面（光ファイバに最も近接した面）から寸法ｔだけ凹んでいる規制面７Ａを有している。凹み寸法ｔは、例えば、光ファイバ素線の外径＋１０〜４０μｍに設定されている。
規制部７を設けたのは、被覆除去中に、光ファイバ９が受け部２の中央から移動しないように光ファイバ９の位置を固定するためである。凹み寸法ｔを光ファイバ素線の外径＋１０〜４０μｍに選定したのは、切断刃６が光ファイバの被覆に食い込んだ後に、規制面７Ａと切断刃６により光ファイバ素線が強く挟まれて傷付けられることがないようにするためである。即ち、規制面７Ａと切断刃６の間隔は、光ファイバ素線の外径＋１０〜４０μｍより狭くなることはなく、光ファイバ素線が保護される。
規制面７Ａの上下部分は、引き抜き時に光ファイバ素線（非剥離層）が傷付くのを防止すべく面取り７Ｂがされている。切断刃６で光ファイバ９の端部の被覆を切断した後で、規制面７Ａと切断刃６で光ファイバを挟んだまま光ファイバ９を引き抜くと、光ファイバ端部から被覆が所定長除去される。このとき、被覆を除去された光ファイバ素線が規制面７Ａのエッジに強く押しつけられると光ファイバ素線に傷が付く。ゆえに、規制面７Ａの光ファイバ長手方向の幅は狭い方がよい。しかし、あまり幅を狭くすると、切断刃６を光ファイバ９の被覆に直角に押し当てて被覆を切断しようとしたとき、光ファイバの軸を切断刃６のエッジに対して垂直に支持するのが難しくなる。そこで、規制面７Ａに面取り７Ｂを施した。
なお、図１に示すように、受け部２は、取付ブロック８の上面に固定されている。この取付ブロック８と押圧部１にＵ字状に折り曲げられた板ばね３の両端がボルト止めされている。
次にこれまで説明した実施例に係る被覆除去装置の動作を使用態様と共に説明する。
図５に示す光ファイバ９は、０．２５ｍｍの外径を有し、コア及びクラッドを有する石英製の外径１２５μｍの光ファイバ素線と、その上に２〜１５μｍ厚で設けられているＵＶ樹脂から成る非剥離層と、その上に更に設けられているＵＶ樹脂から成る一次被覆層及びＵＶ樹脂から成る二次被覆層とから構成されている。
初めに図２に示すように、切断刃６の装着された上記押圧部１、受け部２、板ばね３等をケーシング４に収納する。この収納状態では、押圧部１の押圧面１Ｃ側がケーシング４の切欠部４Ａより突出している。
次に、光ファイバ９を切断刃６（押圧部１の先端部１Ｂ）と受け部２との間に挟まれるように、約４０ｍｍの長さ寸法で挿入、配置する。
次いで、押圧部１の押圧面１Ｃを板ばね３の弾性力に抗して指にて押圧し、押圧部１の先端部１Ｂを受け部２に接近させる。
このような押圧操作により、切断刃６が受け部２の対向面方向に押圧されて、光ファイバに当接されると、光ファイバ９が規制面７Ａに押し付けられる。これに伴って、切断刃６が一次及び二次被覆層に喰い込む。その状態で、光ファイバ９を長さ方向上方に引き抜く。これにより、被覆層は光ファイバ素線（非剥離層）より剥離され、ケーシング４内に屑として残る。
このように、上記のような形状のプラスチックから成る切断刃６を用いると、切断刃６の刃先が光ファイバ素線や非剥離層よりも柔軟なので、たとえ接触をしても、これらを傷つける事が無い。従って、切断刃６を固定ブロック５を用いて挟持させる場合でも刃先の突出寸法をあまり高精度に設定する必要がなく、かつ規制面７Ａを決定する上記寸法ｔも高精度に設定する必要がない。よって、切断刃６の取付調整及び作業が簡単になり、かつ光ファイバに対応させて切断刃６等を現場で簡単に交換することができる。
更に、切断刃６は、プラスチック板をそのまま切断するだけで、刃物を研ぐように尖った部分を形成する必要がないから、その製作も安価にできる。もちろん、特殊なプラスチック板ではないから材料費も安い。受け部２等の寸法精度も要求されないので、装置の低価格化を図ることが可能である。
実証実験のために、図１の被覆除去装置において、切断刃６として０．５ｍｍの厚さ寸法を有するＰＥＴフィルム（板）を用い、端部を１ｍｍ突出させた。一方、光ファイバ試料は０．２５ｍｍの外径を有し、ＵＶ樹脂から成る非剥離層を有するものを使用した。
この光ファイバ試料を５０本用意し、約４０ｍｍの長さ寸法で被覆層を除去したところ、全ての光ファイバ試料の非剥離層には傷が付与されていなかった。また、被覆層の除去後の各試料の引張強度を測定したところ、４．４〜４．６（ＧＰａ）であり、除去前と殆ど同一であった。ゆえに、光ファイバ素線に傷が付かない事が証明された。
図６は本発明の変形例を示す斜視図である。この変形例では、押圧部１の上面に案内板１０が取付けられている。この案内板１０は受け部２側に突出する先端中央に、Ｖ字状の案内溝１０Ａが形成されている。従って、光ファイバ９をこの案内溝１０Ａに位置させるだけで、押圧部１が受け部２に接近した場合自動的に光ファイバが規制部７の規制面７Ａ位置に位置決めされるという効果がある。
図７は本発明の他の実施例に係る被覆除去装置の斜視図である。
この実施例において、ケーシング１１は二つ割構造を有し、ケーシング半部１１Ａ、１１Ｂの下部がピン１２にて回動可能に枢支されている。ケーシング半部１１Ａ、１１Ｂは上方が図示しないばね手段により相互に離間する方向に押圧されている。そして、ケーシング半部１１Ａには、案内溝１０Ａを有する案内板１０が固定されている。
尚、このケーシング１１内には、押圧部、受け部２、切断刃６が収納され、図１の実施例と全く同一に操作される。
図８は本発明の更に他の実施例に係る被覆除去装置の斜視図である。
この実施例において、１３はケーシング４の所定位置に位置決め、固定される基台である。この基台１３上には一対の平行な案内レール１４、１４が固定されている。これら案内レール１４、１４には押圧部１が移動可能に装着されている。押圧部１の先端には、上記したと同様に固定ブロック５を介して切断刃６が取付けられている。押圧部１の背面には押圧板１５が連結、固定されている。押圧板１５の下方と基台１３の下面から伸長する伸長板１６との間にはコイルスプリング１７が配されている。コイルスプリング１７は伸長板１６から突出する短尺の支持棒１８に装着され、押圧板１５を伸長板１６から離間する方向にばね付勢している。
案内レール１４、１４の先端には支持板１９が固定され、支持板１９上には受け部２が固定されている。受け部２には上記したように規制部７が設けられている。
この実施例では、押圧板１５をコイルスプリング１７の弾性力に抗して押圧すると、押圧部１が案内レール１４、１４に案内されて移動し、受け部２に接近する。従って、切断刃６が受け部２の対向面に当接した時点で規制部７に位置する光ファイバの被覆層に喰い込む。よって、光ファイバを引き抜くことにより、被覆層を除去できる。
図９は本発明の装置の受け部の変形例を示す斜視図である。
同図（Ａ）の受け部２は、切断刃との対向面に、規制部としてＶ溝２０が設けられている。このＶ溝２０を設ける場合には上記案内板１０が有効となり、光ファイバを確実にＶ溝２０に案内することができる。同図（Ｂ）の受け部２は、規制部として幅広の凹溝２１が設けられている。この溝２１の両壁部は研磨により丸みが付与され、光ファイバ素線等の引き抜き時の傷付きが防止されている。同図（Ｃ）の受け部２は、Ｖ溝２０の両端に開口２２、２２が形成され、図５に示したような断面形状にしている。これにより光ファイバ素線等の引き抜き時の傷付きが防止されている。
図１０は本発明に係る受け部の更に他の変形例を示す斜視図である。
この受け部２は切断刃の対向面にスペーサ２３、２３が設けられている。これらスペーサ２３は、光ファイバ素線の外径＋１０〜４０μｍに相当する突出寸法を有している。
図１１は他の発明に係る被覆除去装置の要部断面図である。
この被覆除去装置では、一対の押圧部１、１が対向配置されており、一対の切断刃６、６が備えられている。これらの押圧部１、１は段部１Ａを有し、各段部１Ａには切断刃６を挟持するための固定ブロック５がボルト止めされている。先端を対向させた一対の切断刃６は、上記の実施例で説明したようなプラスチック材から成り、上記した範囲の所定の曲げ弾性率を有している。そして、一方の固定ブロック５の先端面には、スペーサ２４が取付けられている。このスペーサ２４は下方の切断刃６の先端を基準にして光ファイバ素線の外径＋１０〜４０μｍの突出寸法を有している。
このスペーサ２４を設けたのは、図５の実施例で、凹み寸法ｔを光ファイバ素線の外径＋１０〜４０μｍに選定したのと同様の理由である。尚、押圧部１、１は、図１で示す板ばね３にて連結され、ケーシング４内に収納されている。
このような被覆除去装置において、一方の押圧部１を押圧し、その切断刃６をスペーサ２４に当接させると、上記したと同様に光ファイバの被覆層に両切断刃６、６が喰い込む。従って、光ファイバを引き抜くことで、被覆層を除去することができる。
この実施例において、一方の押圧部１に図１で示す案内板１０を取付け、光ファイバを除去位置へ案内するようにしてもよい。
図１２は他の発明の他の実施例に係る被覆除去装置の斜視図である。
この被覆除去装置は、長さ寸法の大きなプラスチック製ブロックから成る受け部２５と、この受け部２５の一端の突出部２５Ａに枢支ピン２６を介して回動可能に枢支されている押圧部２７とを備えている。押圧部２７は受け部２５とほぼ同一寸法を有するブロックから成り、ピン２６を中心として回動し、受け部２５の上面に接近する。押圧部２７と受け部２５との間には、これらを相互に離間させるためのコイルスプリング２８が設けられている。
押圧部２７の下面からは、その長さ方向に沿って長尺の切断刃２９が突出している。一方、受け部２５の上面側には、切断刃２９を導入させて案内するための長尺の案内溝３０が形成されている。
受け部２５の先端部には、案内溝３０に対し直交している貫通凹部３１が形成されている。この凹部３１は光ファイバ９（図５参照）を案内するために設けられている。この凹部３１内には、案内溝３０上に位置する他の切断刃３２が突設されている。両切断刃２９、３２は上記したプラスチック材から成り、上記した範囲で所定の曲げ弾性率を有している。
図１３は、上記の装置の分解斜視図である。
図のように、受け部２５は、その側面に段部２５Ｃを備えている。この段部２５Ｃの右端のほうに、切断刃３２を収容する。蓋板２５Ｂをビス３４とビス孔３５、３６を利用して受け部２５に固定すると、切断刃３２が固定され、同時に案内溝３０（図１２）が形成される。押圧部２７の側面には、段部２７Ａが形成されている。この段部２７Ａに、切断刃２９を収容する。蓋板４１をビス４３とビス孔４２、４４を利用して押圧部２７に固定すると、切断刃２９が固定される。最後に、押圧部２７の端の切欠き２７Ｂに、受け部２５の突出部２５Ａを挿入する。そして、軸孔４５、４６に枢支ピン２６を挿入する。スプリング２８は、盲穴３７に下端を挿入しておく。これで、組み立てが完了し、図１２のようになる。
このような被覆除去装置において、押圧部２７をコイルスプリング２８の弾性力に抗して回動すると、切断刃２９が案内溝３０に導入される。押圧部２７の下面が受け部２５の上面に接近していくと、切断刃２９と切断刃３２とで光ファイバを挟み込み、凹部３１内の光ファイバの被覆層に両切断刃２９、３２が喰い込む。従って、光ファイバを引き抜くことで、被覆層を除去することができる。
図１４と図１５は、本発明の装置の作用効果を示す切断刃近傍の拡大平面図である。
図１４に示すように、切断刃２９と切断刃３２とで光ファイバ５０を挟み込み両者の端面２９Ａと３２Ａを接近させると、切断刃２９と切断刃３２の端面２９Ａと３２Ａが被覆層５２に食い込んで、光ファイバ素線５１（プライマリコートを含む）まで達する。
上記のように、切断刃２９をプラスチック材料にすると、切断刃２９の刃先が柔軟で弾力性があるため、切断刃２９と光ファイバ素線５１とが衝突しても構わない。即ち、強く衝突しても、切断刃２９の刃先が光ファイバ素線５１の断面形状に合わせてわずかに湾曲する程度で、光ファイバ素線やプライマリコートを傷つけることがない。
さらに、図１５に示すように、切断刃２９と切断刃３２が被覆層５２に食い込んだとき、切断刃２９、３２の端面２９Ａ、３２Ａは、光ファイバ素線５１の周面に接した状態になる。ここで、光ファイバ５０を図の矢印６０方向に引っ張ると、被覆層５２の端部５２Ａが切断刃２９と切断刃３２により矢印６０方向への進行を妨げられて、光ファイバ素線の端部５１Ａから引き剥がされる。
この間、切断刃２９、３２の端面２９Ａ、３２Ａと光ファイバ素線５１とが接触して擦れ合っても、図１４のように上記のように切断刃２９、３２が柔軟に変形するので、光ファイバ素線やプライマリコートは傷付かない。また、プラスチック製の刃は、光ファイバ素線の周面との滑りがよいため、光ファイバ素線に無理な張力も与えない。摩擦によって切断刃２９、３２の方は磨耗すれば、適宜交換をすればよい。この状態で作業者が、軽く押圧部２７と受け部２５とを鋏を使用するように握っていれば、光ファイバ素線の端部５１Ａをきれいに引き剥がすことができる。
なお、一対の切断刃がこの実施例のようにその端面を突き合わせるようにして接近すればよいが、厚さ方向に位置がずれたまま接近すると、ちょうど鋏のようにして光ファイバを切断するような力を及ぼしてしまう。こうした力は光ファイバ素線に悪影響を及ぼす。これを防ぐために、切断刃は、その端面が側面に対してほぼ垂直とされていることが好ましい。また、例えば、図１２のように、切断刃４１を配置した案内溝３０に切断刃２９を案内する手段を設けて、双方の端面の位置の整合を図ることが好ましい。また、上記のように、少なくとも一方の切断刃を一定以上の厚みにして、切断刃２９と切断刃３２の端面が確実に衝突するようにしている。
【図面の簡単な説明】
図１は、本発明の被覆除去装置の内部構造を示す斜視図である。
図２は、本発明の被覆除去装置の斜視図である。
図３は、本発明の押圧部の斜視図である。
図４は、本発明の受け部の斜視図である。
図５は、本発明の被覆除去装置の使用態用を示す部分断面図である。
図６は、本発明の変形例に係る要部の斜視図である。
図７は、本発明の他の実施例に係る被覆除去装置の斜視図である。
図８は、本発明の更に他の実施例に係る被覆除去装置の斜視図である。
図９は、（Ａ）、（Ｂ）、（Ｃ）は本発明に係る受け部の変形例をそれぞれ示す斜視図である。
図１０は、本発明の受け部の更に他の変形例を示す斜視図である。
図１１は、他の発明の被覆除去装置の要部の断面図である。
図１２は、他の発明の他の実施例に係る被覆除去装置の斜視図である。
図１３は、図１２の被覆除去装置の分解斜視図である。
図１４は、本発明の装置の作用効果を示す切断刃近傍の拡大平面図である。
図１５は、本発明の装置の作用効果を示す切断刃近傍の拡大縦断面図である。
【図１】
0003830090.tif 000002
【図２】
0003830090.tif 000003
【図３】
0003830090.tif 000004
【図４】
0003830090.tif 000005
【図５】
0003830090.tif 000006
【図６】
0003830090.tif 000007
【図７】
0003830090.tif 000008
【図８】
0003830090.tif 000009
【図９】
0003830090.tif 000010
【図１０】
0003830090.tif 000011
【図１１】
0003830090.tif 000012
【図１２】
0003830090.tif 000013
【図１３】
0003830090.tif 000014
【図１４】
0003830090.tif 000015
【図１５】
0003830090.tif 000016